(57)【要約】【課題】本発明は、１つの通信チャネルＣｈｉによって互いにリンクされ、１つが移動する第１の無線機ＴＸｉおよび第２の無線機ＲＸを含む電気通信システムＳＹＳＴにおいてデータＤｉを送信するための方法に関連する。【解決手段】その方法は、データＤｉを複数の成分Ｃｔｊ（ただしｊ＝１〜Ｍ）にわたって拡散するための拡散ステップと、等化ステップであって、その等化ステップにおいて、各成分Ｃｔｊ（ただしｊ＝１〜Ｍ）が通信チャネルＣｈｉ内の通信状態を表す等化値Ｗｉ（ｊ）＊と掛け合わされる、等化ステップとを含む。本発明によれば、等化値Ｗｉ（ｊ）＊は移動無線機が動くことにより生成されるドップラ効果も表す。本発明により、移動無線機が動くことにより通信チャネルＣｈｉに対して引き起こされる変更を大幅に補償できるようになる。【選択図】図１
2004343719.tif 000002
【特許請求の範囲】
【請求項１】
少なくとも１つの通信チャネルによって互いにリンクされ、少なくとも１つが移動する少なくとも第１および第２の無線機を含む電気通信システムにおいてデータを送信するための方法であって、
前記データを複数の成分にわたって拡散するための拡散ステップと、
等化ステップであって、該等化ステップにおいて、前記拡散ステップの結果として生成される各成分が前記通信チャネル内の通信状態を表す所定の等化値によって掛け合わされる、等化ステップとを含み、
少なくとも１つの所定の等化値が、前記移動無線機が動くことに起因し、前記通信チャネル内の前記通信状態に悪影響を及ぼすドップラ効果も表すことを特徴とする方法。
【請求項２】
前記所定の等化値はそれぞれ前記通信チャネル内の雑音レベルを表すパラメータを含み、前記所定の等化値はさらに前記ドップラ効果を表す付加雑音パラメータも含む請求項１に記載の方法。
【請求項３】
前記通信チャネル内の前記通信状態は、前記通信チャネルを通して前記移動無線機によって以前に受信された少なくとも１つの到来信号において前記状態の影響を調べることによりモデル化され、前記ドップラ効果を表す前記付加雑音パラメータは、前記到来信号が前記移動無線機によって受信されてから時間が経過するとともに増加するようになされる分散を特徴付ける請求項２に記載の方法。
【請求項４】
前記通信チャネル内の前記通信状態は、前記通信チャネルを通して前記移動無線機によって以前に受信された少なくとも１つの到来信号において前記状態の影響を調べることによりモデル化され、前記ドップラ効果を表す前記付加雑音パラメータは、その値が２つの連続した到来信号間の時間インターバルにわたって平均されたある一定の分散を特徴付ける請求項２に記載の方法。
【請求項５】
前記等化ステップは、前記移動無線機によって送信されるようになされる信号の成分において前記移動無線機によって実行されるようになされる請求項１ないし４のいずれか一項に記載の方法。
【請求項６】
前記等化ステップは、前記移動無線機によって受信される信号の成分において前記移動無線機によって実行されるようになされる請求項１ないし４のいずれか一項に記載の方法。
【請求項７】
少なくとも１つの通信チャネルによって互いにリンクされ、少なくとも１つが移動する少なくとも第１および第２の無線機を含む電気通信システムであって、
送信されるデータを複数の成分にわたって前記通信チャネルを通して拡散するための拡散手段と、
前記拡散手段によって出力される各成分を前記通信チャネル内の通信状態を表す所定の等化値と掛け合わせるように構成される等化手段とを含み、
当該電気通信システムは、少なくとも１つの所定の等化値が、前記移動無線機が動くことに起因し、前記通信チャネル内の前記通信状態に悪影響を及ぼすドップラ効果も表すことを特徴とする、少なくとも１つの通信チャネルによって互いにリンクされ、少なくとも１つが移動する少なくとも第１および第２の無線機を含む電気通信システム。
【請求項８】
前記所定の等化値はそれぞれ前記通信チャネル内の雑音レベルを表すパラメータを含み、前記所定の等化値はさらに前記ドップラ効果を表す付加雑音パラメータも含む請求項７に記載の電気通信システム。
【請求項９】
前記通信チャネル内の前記通信状態は、前記通信チャネルを通して前記移動無線機によって以前に受信された少なくとも１つの到来信号において前記状態の影響を調べることによりモデル化され、前記ドップラ効果を表す前記付加雑音パラメータは、前記到来信号が前記移動無線機によって受信されてから時間が経過するとともに増加するようになされる分散を特徴付ける請求項８に記載の電気通信システム。
【請求項１０】
前記通信チャネル内の前記通信状態は、前記通信チャネルを通して前記移動無線機によって以前に受信された少なくとも１つの到来信号において前記状態の影響を調べることによりモデル化され、前記ドップラ効果を表す前記付加雑音パラメータは、その値が２つの連続した到来信号間の時間インターバルにわたって平均されたある一定の分散を特徴付ける請求項８に記載の電気通信システム。
【請求項１１】
請求項７ないし１０のいずれか一項に記載の電気通信システムに含まれることになる移動無線機であって、当該移動無線機の等化手段は送信ステージの上流に配置され、前記送信ステージによって送信されることになる信号の成分を処理するように構成される移動無線機。
【請求項１２】
請求項７ないし１０のいずれか一項に記載の電気通信システムに含まれることになる移動無線機であって、該移動無線機の等化手段は受信ステージの下流に配置され、前記受信ステージによって受信される信号の成分を処理するように構成される移動無線機。
【請求項１３】
請求項７ないし１０のいずれか一項に記載の電気通信システムによって、あるいは請求項１ないし６のいずれか一項に記載の方法を用いることによって、通信チャネルを通して送信される無線信号。
【発明の詳細な説明】
【技術分野】
【０００１】
本発明は、少なくとも１つの通信チャネルによって互いにリンクされ、少なくとも１つが移動する少なくとも第１および第２の無線機を含む電気通信システムにおいてデータを送信するための方法に関し、
上記データを複数の成分にわたって拡散するための拡散ステップと、
等化ステップであって、等化ステップにおいて、拡散ステップの結果として生成される各成分が通信チャネル内の通信状態を表す所定の等化値によって掛け合わされる、等化ステップとを含む。
【背景技術】
【０００２】
この種の従来の方法が提案されている（例えば、非特許文献１参照）。
【０００３】
当該文献によれば、送信側無線機によって送信されることになる信号にプレディストーションを適用するために、等化ステップは上記送信側無線機によって実行されるようになされており、それにより、通信チャネルによって生成される歪みが上記プレディストーションによって予め補償されるであろう。
【０００４】
当該文献に記載されるプレディストーションは、拡散ステップに起因する成分をそれぞれ、通信チャネル内の通信状態を予め知ることにより計算される等化値と掛け合わせることにより達成されることになる。
【０００５】
そのように通信状態を予め知ることは、上記無線機によって以前に受信された到来信号を解析することを基にすることができ、その変化がこの無線機によって観測され、通信チャネル内の通信状態をモデル化できるようになるであろう。結果として生成されるモデルは通常、それぞれが拡散信号の所与の成分に対して割り当てられ、上記成分に適用されることになる等化値を計算するために用いられる、複数のチャネル係数の形で表される。
【０００６】
しかしながら、上記のように以前の到来信号に基づいて生成される通信チャネルのモデルが少なくとも部分的に陳腐化し、それにより以前に計算された等化値に基づく等化ステップを通して達成されることになる補償が不正確であるか、または効果がなくなる可能性があるような速度で上記無線機が動くときに、問題が生じる。
【０００７】
詳細には、ある成分は実際には過大に補償される結果になるが、一方、他の成分への通信チャネルへの影響は補償が不十分であるため、これらの他の成分は大きく歪んだままになり、かつ／または歪みが生じるようになるであろう。さらに、補償を行うことは電力を消費するので、過大な補償はエネルギーを無駄に消費することになるであろう。そのエネルギーは、通常は移動無線機に取り付けられるバッテリに蓄えられるので、供給量が制限されている場合が多い。
【０００８】
したがって、既知の方法は、通信品質およびエネルギー消費の両方に関して、うまく機能していないことがわかっている。
【０００９】
【非特許文献１】Mm. David Mottier 及び Damien Castelain著、「SINR-Based Channel Pre-equalization for Uplink Multi-Carrier CDMA systems」、ＩＥＥＥ、２００２年９月
【発明の開示】
【発明が解決しようとする課題】
【００１０】
本発明の目的は、移動無線機が動くことにより等化値が陳腐化し得ることを認識し、補償する、データを送信するための方法を提供することにより、上記の問題を解決することである。
【課題を解決するための手段】
【００１１】
実際、初段落で記載した方法は、本発明の第１のソフトウエア関連の態様によれば、少なくとも１つの所定の等化値が、移動無線機が動くことに起因し、通信チャネル内の通信状態に悪影響を及ぼすドップラ効果も表すことを特徴とする。
【００１２】
本発明は、無線機が動くことによって引き起こされるドップラ効果の定量化を、関連する１つあるいは複数の等化値に組み込むことにより、上記無線機が動くことによって通信チャネルに引き起こされる変化を考慮できるようにする。そのような対策を講じることにより、無線機が動くのに応じて、上記関連する１つあるいは複数の等化値が動的に調整できるようになり、上記１つあるいは複数の等化値が陳腐化する危険性を減らし、それにより通信品質およびエネルギー消費の両方に関して、等化ステップによって達成される補償能力が高められる。
【００１３】
本発明のこの第１の態様の具体的な実施形態によれば、所定の等化値はそれぞれ上記通信チャネル内の雑音レベルを表すパラメータを含み、上記所定の等化値はさらに上記ドップラ効果を表す付加雑音パラメータも含む。
【００１４】
以下にさらに十分に記載されるように、この具体的な実施形態は、ドップラ効果の補償を提供するための既に存在している計算方式を用いることができるようにし、本発明を実施するために必要とされる計算電力の増加が抑えられるであろう。
【００１５】
この具体的な実施形態の第１の変形形態によれば、通信チャネル内の通信状態は、上記通信チャネルを通して移動無線機によって以前に受信された少なくとも１つの到来信号において上記状態の影響を調べることによりモデル化され、上記ドップラ効果を表す付加雑音パラメータは、上記到来信号が移動無線機によって受信されてから時間が経過するとともに増加するようになされる分散を特徴付ける。
【００１６】
上記のような到来信号を無線機は予めわかっていない場合もあり、その場合、上記無線機は通信チャネルの、いわゆるブラインド推定を実行するであろう。到来信号は、その値が予め無線機によって知られているパイロット信号を含み、それにより無線機がいわゆるパイロットに基づくチャネル推定を実行できるようにし、ブラインド推定よりも精度の高い結果を生成することが好ましいであろう。
【００１７】
先に記載された第１の変形形態は、以前に受信された到来信号に基づいて生成されている通信チャネルのモデルの経過時間を考慮に入れており、モデルの経過時間が経つのに応じて、補償の度合いを大きくする。
【００１８】
したがって、この第１の変形形態はかなり満足のいく精度を提供するが、その代償として、ドップラ効果を表す付加雑音パラメータの値を更新するために必要とされる計算電力が高くなる。
【００１９】
上述した具体的な実施形態の第２の変形形態によれば、上記ドップラ効果を表す付加雑音パラメータは、その値が上述のような２つの連続した到来信号間の時間インターバルにわたって平均化されたある一定の分散を特徴付ける。
【００２０】
この第２の変形形態は、先に記載された第１の変形形態よりもわずかに精度は劣るが、それでもドップラ効果を十分に補償することができ、その一方で、必要とされる計算電力は少なく、すなわち、２つの連続する到来信号間の時間インターバル毎に、付加雑音パラメータの分散のための１つの平均値を計算するために必要とされる計算電力しか必要とされないであろう。
【００２１】
先に説明されたように、本発明による方法に含まれる等化ステップは、移動無線機によって、上記移動無線機によって送信されようとしている信号の成分において、前もって実行されることができる。
【００２２】
別法では、あるいはそれに加えて、そのような等化ステップは、移動無線機によって受信される、たとえば無線基地局からの信号の成分において、上記信号が受信された通信チャネルによって実際に生成された歪みを補償するために、上記移動無線機によって実行される場合もある。
【００２３】
第２のハードウエア関連の態様によれば、本発明はまた少なくとも１つの通信チャネルによって互いにリンクされ、少なくとも１つが移動する少なくとも第１および第２の無線機を含む電気通信システムに関し、
送信されるデータを複数の成分にわたって上記通信チャネルを通して拡散するための拡散手段と、
拡散手段によって出力される各成分を通信チャネル内の通信状態を表す所定の等化値と掛け合わせるように構成される等化手段とを含み、
電気通信システムは、少なくとも１つの所定の等化値が、移動無線機が動くことに起因し、通信チャネル内の通信状態に悪影響を及ぼすドップラ効果も表すことを特徴とする、少なくとも１つの通信チャネルによって互いにリンクされ、少なくとも１つが移動する少なくとも第１および第２の無線機を含む。
【００２４】
そのような電気通信システムでは、等化手段は、移動無線機内の送信ステージの上流に配置されることができ、上記送信ステージによって送信されることになる信号の成分を前もって処理するように構成される。別法では、あるいはそれに加えて、そのような等化手段は、移動無線機の受信ステージの下流に配置されることもでき、上記受信ステージによって受信された信号の成分を処理するように構成される。
【００２５】
したがって、本発明は移動無線機であって、上述のような等化手段が送信ステージの上流に配置され、上記送信ステージによって送信されることになる信号の成分を処理するように構成される移動無線機にも関する。
【００２６】
さらに本発明は、移動無線機であって、上述のような等化手段が受信ステージの下流に配置され、上記受信ステージによって受信される信号の成分を処理するように構成される移動無線機に関する。
【００２７】
本発明は、電気通信システムによって、あるいは上記のような方法を用いることにより、通信チャネルを通して送信される無線信号にも関連する。
【００２８】
上記の本発明の特徴および他の特徴は、添付の図面に関連して与えられる以下に記載される説明を読むことからさらに明らかになるであろう。
【発明を実施するための最良の形態】
【００２９】
図１は、第１の無線機、たとえば移動無線端末と、第２の無線機ＲＸ、たとえば無線基地局あるいは別の移動無線端末とを含む電気通信システムＳＹＳＴを概略的に示す。第１および第２の無線機ＴＸｉおよびＲＸは、通信チャネルＣｈｉによって互いにリンクされており、その通信チャネルを通して、第１の無線機ＴＸｉは第２の無線機ＲＸに無線信号Ｓｇｉを送信しようとする。
【００３０】
本発明のこの実施形態では、電気通信システムＳＹＳＴは、第１の無線機ＴＸｉの中に配置される、
通信チャネルＣｈｉを通して送信されることになるデータＤｉのストリームを複数の成分にわたって拡散するための拡散手段ＤＰＬＣＴと、
上記各成分を、所定の符号語、たとえばウォルシュ符号語の一部を形成する符号化された値Ｃｉ（１）・・・Ｃｉ（ｍ）・・・Ｃｉ（Ｍ）と掛け合わせるように構成される符号化手段ＭＣ１・・・ＭＣｍ・・・ＭＣＭと、
周波数拡散手段ＭＣ１・・・ＭＣｍ・・・ＭＣＭによって出力される各成分Ｃｔｊ（ただしｊ＝１〜Ｍ）を、通信チャネルＣｈｉ内の通信状態を表す所定の等化値Ｗｉ（ｊ）＊（ただしＸ＊＊はＸの複素数を示し、ｊ＝１〜Ｍ）と掛け合わせるように構成される等化手段ＭＷ１・・・ＭＷｍ・・・ＭＷＭとを備える。
【００３１】
第１の無線機ＴＸｉはさらに、等化手段ＭＷ１・・・ＭＷｍ・・・ＭＷＭによって出力される全ての成分を再結合し、それらの成分を、結果として生成された信号Ｓｇｉの形で第２の無線機ＲＸに向けて送信するように構成される信号処理および送信ステージＴＲＳを備える。
【００３２】
第２の無線機ＲＸは、Ｋ個の異なる無線機からの信号Ｓｇ１・・・ＳｇＫを受信することができる信号受信および処理ステージＲＣＳを備えており、それらの信号の中の信号Ｓｇｉが第１の無線機ＴＸｉによって送信される。信号受信および処理ステージＲＣＳはさらに、全ての他の受信された信号から、到来信号Ｓｇｋ（ただしｋ＝１〜Ｋ）それぞれを区別し、その区別された各信号を、それぞれが乗算器ＩＭＣｊ（ただしｊ＝１〜Ｍ）によって、符号化された値Ｃｉ（ｊ）＊と掛け合わされるようになされるＭ個の成分Ｃｒｊ（ただしｊ＝１〜Ｍ）に分割することができる。その後、結果として生成された成分は、結合手段ＣＭＢによって、無線機ＴＸｉによって元々送信されたデータＤｉの推定値から構成される１つのデータストリームＥｄｉに再結合される。
【００３３】
本発明のこの実施形態では、第１の無線機ＴＸｉに含まれる等化手段ＭＷ１・・・ＭＷｍ・・・ＭＷＭは、第１の無線機ＴＸｉによって送信されることになる信号Ｓｇｉの成分にプレディストーションを適当し、それにより、通信チャネルＣｈｉによって生成される歪みが上記プレディストーションによって予め大幅に削減されるようにする。
【００３４】
このために、適当な等化値が、この図には示されないが、たとえば本発明人による先に述べられた文献において開示されるいわゆるＳＩＮＲ技術による計算手段によって計算され、その等化値によって、通信チャネルＣｈｉによる送信に関連付けられる信号対雑音・干渉比は最大になるようになされるであろう。
【００３５】
このＳＩＮＲ技術によれば、各等化値Ｗｉ（ｊ）は以下のように表すことができる。
【００３６】
【数１】
2004343719.tif 000003
【００３７】
ただしｈｉ（ｊ）は、第１の送信機ＴＸｉによって以前に受信されたパイロット信号を調べることに基づいて計算された通信チャネル内の通信状態を表す係数であり、σ２は付加白色ガウス雑音（ＡＷＧＮ）モデルに従った雑音分散を表し、μは以下の式にしたがって選択される。
【００３８】
【数２】
2004343719.tif 000004
【００３９】
等化値Ｗｉ（ｊ）を計算するために、推定されたデータＥｄｉと元のデータＤｉとの間の最小平均二乗誤差を低減するようになされる、いわゆるＭＭＳＥ技術のような他の技術を用いることもでき、ＭＭＳＥ技術によれば、各等化値Ｗｉ（ｊ）は以下のように表すことができる。
【００４０】
【数３】
2004343719.tif 000005
【００４１】
本発明によれば、所定の等化値Ｗｉ（ｊ）は、移動無線機ＴＸｉが動くことに起因し、通信チャネルＣｈｉ内の通信状態に悪影響を及ぼすドップラ効果も表すであろう。
【００４２】
この目的を果たすために、ここに図示される例では、所定の等化値Ｗｉ（ｊ）はさらに、上記ドップラ効果を表す付加雑音パラメータσｄ２も含む。
【００４３】
したがって、本発明のこの実施形態では、ＳＩＮＲ技術を用いることより以前に計算された等化値Ｗｉ（ｊ）を以下のように表すことができる。
【００４４】
【数４】
2004343719.tif 000006
【００４５】
一方、ＭＭＳＥ技術を用いることにより以前に計算された等化値Ｗｉ（ｊ）は、以下のように表すことができる。
【００４６】
【数５】
2004343719.tif 000007
【００４７】
上記のいずれの式においても、ドップラ効果を表す項σｄ２／２は、Ｊ０とも呼ばれ、σｄに適用される０次の第１種ベッセル関数の二次の近似から生成され、その近似によれば、Ｊ０２（σｄ）〜１−σｄ２／２である。本発明の他の実施形態では、このベッセル関数Ｊ０は２よりも高い次数に近似されることができ、それにより、上記の式に、σｄのさらに大きな偶数のべき乗項が導入されるであろう。
【００４８】
本発明の上記の実施形態は、既に存在している計算アルゴリズム、たとえばＳＩＮＲあるいはＭＭＳＥ技術を実施するために現時点で用いられている技術を、ドップラ効果を補償するために適合させることができ、本発明を実施するために必要とされる計算電力の増加が抑えられるであろう。
【００４９】
図２は、上記の第１の無線機ＴＸｉによって送信されることができるデータ信号Ｄｓｉと、上記第１の無線機ＴＸｉによって同時に受信されることができる信号Ｒｓｉとを示す１組のクロノグラム(chronograms)である。したがって、第１の到来するパイロットシンボルＰＳ１が受信され、その後、データシンボルｄＳ１・・・ｄＳＮのストリームが送信するために生成される。各データシンボルはＴに等しい持続時間を有し、各データシンボルｄＳｎ（ただしｎ＝１〜Ｎ）の前に、たとえばＯＦＤＭ変調標準規格によって必要とされるように、先行するデータシンボルｄＳｎ−１によって生成される干渉を吸収するためのガードインターバルｄＴｎが挿入される。データストリームには、第２のパイロットシンボルＰＳ２が後続する。その到来するパイロットシンボルは、一般的にダウンリンク信号とアップリンク信号との間に挿入される所定のタイムスキューＴｓｋによって、送信されることになるデータシンボルｄＳ１・・・ｄＳＮのストリームから分離される。
【００５０】
第１の到来するパイロットシンボルＰＳ１を解析することにより、第１の無線機ＴＸｉは、通信チャネルをモデル化する第１の組のチャネル係数ｈｉ１を計算できるようになり、第１の組のチャネル係数ｈｉ１を用いて、上記のような等化値が計算されるであろう。この第１の組のチャネル係数ｈｉ１は、時間が経過するとともにますます陳腐化するようになるが、上記ドップラ効果を表す付加雑音パラメータσｄ２によって、直前のパイロット信号、この例ではＰＳ１が第１の無線機によって受信されてから時間が経過していくとともに増加するようになされる分散が、都合よく特徴付けられるであろう。
【００５１】
この目的を果たすために、付加雑音パラメータσｄ２は［２π．Ｆｄ．（Ｔｓｋ＋ｎ．（Ｔ＋ｄＴ））］２に等しいものと定義されることができる。ただし、Ｔは１つのデータシンボルｄＳｎ（ただしｎ＝１〜Ｎ）の持続時間であり、ｄＴは１つの関連するガードインターバルｄＳｎの持続時間であり、Ｆｄは移動無線機の速度に関連付けられるドップラ周波数を表す。
【００５２】
本発明のこの第１の変形形態では、付加雑音パラメータσｄ２の上記の定義によって、等化値Ｗｉが連続して更新されるようになり、それにより上記等化値の陳腐化が大幅に低減され、実質的には、上記チャネルを通過する信号において、通信チャネルによって引き起こされる変更の十分な補償が維持されるであろう。
【００５３】
しかしながら、そのような連続した更新は貴重な計算電力を必要とし、それにより、無線機が動作するために必要とされるエネルギーを供給するバッテリがあまりにも早く使い尽くされる可能性もある。本発明の第２の変形形態によれば、付加雑音パラメータσｄ２はある一定の分散を特徴付けており、その値は２つの連続したパイロット信号間の時間インターバルにわたって平均されるであろう。そのような第２の変形形態では、付加雑音パラメータσｄ２は以下のように定義されることができる。
【００５４】
【数６】
2004343719.tif 000008
【００５５】
本発明のこの第２の変形形態は、上記の第１の変形形態よりも精度はわずかに劣るが、それでもドップラ効果を十分に補償することができ、その一方で、必要とされる計算電力は少なく、すなわち、２つの連続するパイロット信号、たとえばＰＳ１とＰＳ２との間の時間インターバルＮ（Ｔ＋ｄＴ）＋２．Ｔｓｋ毎に、付加雑音パラメータσｄ２の分散のための１つの平均値を計算するために必要とされる計算電力しか必要とされないであろう。
【００５６】
先に説明されたように、本発明による方法に含まれる等化ステップは、移動無線機によって送信されるようになされる信号の成分において、上記移動無線機によって前もって実行されることができる。
【００５７】
図３は別の移動無線機ＲＸｍを示しており、その移動無線機は、代わりに、あるいはさらに、たとえば無線基地局から、上記移動無線機ＲＸｍによって受信される信号Ｓｇｉの成分Ｃｒｊ（ただしｊ＝１〜Ｍ）においてそのような等化ステップを実行することができる。そのような受信された信号は、データシンボルおよびパイロットシンボルの両方を含むことができ、たとえば、上記の信号ＤｓｉおよびＲｓｉの重ね合わせとして解釈されることができるが、全てのシンボルが同じダウンリンクチャネルを通して受信されるので、その中のタイムスキューは消失しているであろう。パイロットシンボルに先行する付加的なガードインターバルが、受信された信号Ｓｇｉ内に挿入されている場合もある。
【００５８】
上記信号Ｓｇｉが受信された通信チャネルによって実際に生成された歪みを補償するために、図１に示される第２の無線機ＲＸに類似の移動無線機ＲＸｍはさらに、受信ステージＲＣＳの下流に配置され、乗算器ＩＭＣｊ（ただしｊ＝１〜Ｍ）によって出力される各成分Ｃｒｊ（ただしｊ＝１〜Ｍ）を、一方では、通信チャネルＣｈｉ内の通信状態を表し、他方では移動無線機ＲＸｍの動きに起因し、上記通信状態に悪影響を及ぼすドップラ効果を表す所定の等化値Ｇｉ（ｊ）＊（ただしｊ＝１〜Ｍ）と掛け合わせるように構成される等化手段ＭＧ１・・・ＭＧｍ・・・ＭＧＭを備える。
【００５９】
先に説明されたように、そのような等化値Ｇｉ（ｊ）＊はＳＩＮＲ技術を用いることにより計算され、以下のように表されることができる。
【００６０】
【数７】
2004343719.tif 000009
【００６１】
一方、ＭＭＳＥ技術を用いることにより計算される等化値Ｇｉ（ｊ）＊は以下のように表されることができる。
【００６２】
【数８】
2004343719.tif 000010
【００６３】
ただし、μおよびσｄ２は先に記載されたように計算されることができる。
【図面の簡単な説明】
【００６４】
【図１】本発明による電気通信システムを概略的に示すブロック図である。
【図２】そのようなシステムによって送信されることができるデータ信号と、パイロット信号とを概略的に示す説明図である。
【図３】本発明の１つの実現可能な実施形態による移動無線機を概略的に示すブロック図である。
【図１】
2004343719.tif 000011
【図２】
2004343719.tif 000012
【図３】
2004343719.tif 000013